(57)【特許請求の範囲】
【請求項１】
基地局装置の基準となる設置方向である基準設置方向を少なくとも１つ記憶する基準設置方向記憶手段と、
加速度センサを有し、該加速度センサを用いて前記基地局装置の設置方向を測定する設置方向測定手段と、
前記基準設置方向記憶手段に記憶される各基準設置方向と前記設置方向測定手段により測定される設置方向とのなす角である傾斜角をそれぞれ算出するとともに、該各傾斜角が所定値を超えるか否かを判定する傾斜判定手段と、
前記傾斜判定手段により一部又は全部の前記傾斜角が前記所定値を超えると判定される場合に、所定の警告を発する設置誤り警告手段と、
を含むことを特徴とする基地局装置。
【請求項２】
請求項１に記載の基地局装置において、
前記設置方向測定手段により測定される設置方向は、前記基地局装置を基準とする重力加速度の方向である、
ことを特徴とする基地局装置。
【請求項３】
基準設置方向記憶手段に基地局装置の基準となる設置方向である基準設置方向を少なくとも１つ記憶させるステップと、
前記基地局装置に備えられた加速度センサを用いて前記基地局装置の設置方向を測定する設置方向測定ステップと、
前記基準設置方向記憶手段に記憶される各基準設置方向と前記設置方向測定ステップにおいて測定される設置方向とのなす角である傾斜角をそれぞれ算出するとともに、該各傾斜角が所定値を超えるか否かを判定する傾斜判定ステップと、
前記傾斜判定ステップにおいて一部又は全部の前記傾斜角が前記所定値を超えると判定される場合に、所定の警告を発する設置誤り警告ステップと、
を含むことを特徴とする基地局装置の設置誤り検出方法。
【発明の詳細な説明】
【技術分野】
【０００１】
本発明は、基地局装置及び基地局装置の設置誤りを検出する方法に関する。
【背景技術】
【０００２】
小型軽量で出力の小さいＰＨＳ（Personal Handy-phone System）等の基地局装置は、電柱や駅構内の天井或いはビルの屋上等に設置されることが多い。また、基地局装置は、雨や雪等の水分が装置内に侵入するのを防ぐために、筐体で密閉されていることが多い。
【０００３】
なお、下記特許文献１には、インターネット接続機能及び電子メール送受信機能を備えた携帯電話機であって、異常事態又は緊急事態を検知する１種類以上の手段を内蔵し、検知した異常事態又は緊急事態の情報を受発信する携帯電話機に係る技術が開示されている。
【特許文献１】特開２００５−３１１９９５号公報
【発明の開示】
【発明が解決しようとする課題】
【０００４】
ＰＨＳ等の基地局装置を設置する際に、基地局装置の筐体が規定の取り付け方向と異なる向きに設置されると、正常な通信が行えなくなる場合がある。例えば、基地局装置が誤った角度で取り付けられると、基地局装置に接続されたアンテナ素子の角度にずれが生じるため、基地局装置のカバーエリアが変化したり、通信特性が劣化したりすることがある。また、嵌合部が上を向くように取り付けられると、基地局装置は密閉構造になっているとはいえ基地局装置内に雨水等の水分が侵入して動作異常を起こしたり、最悪の場合爆発したりすることもある。
【０００５】
本発明は、上記従来の課題に鑑みてなされたものであり、取り付け方向に係る設置ミスを防ぐことができる基地局装置及び基地局装置の設置誤り検出方法を提供することを目的とする。
【課題を解決するための手段】
【０００６】
上記目的を達成するために、本発明に係る基地局装置は、基地局装置の基準となる設置方向である基準設置方向を少なくとも１つ記憶する基準設置方向記憶手段と、前記基地局装置の設置方向を測定する設置方向測定手段と、前記基準設置方向記憶手段に記憶される各基準設置方向と前記設置方向測定手段により測定される設置方向とのなす角である傾斜角をそれぞれ算出するとともに、該各傾斜角が所定値を超えるか否かを判定する傾斜判定手段と、前記傾斜判定手段により一部又は全部の前記傾斜角が前記所定値を超えると判定される場合に、所定の警告を発する設置誤り警告手段と、を含むことを特徴としている。
【０００７】
また、本発明に係る基地局装置の設置誤り検出方法は、基準設置方向記憶手段に基地局装置の基準となる設置方向である基準設置方向を少なくとも１つ記憶させるステップと、前記基地局装置の設置方向を測定する設置方向測定ステップと、前記基準設置方向記憶手段に記憶される各基準設置方向と前記設置方向測定ステップにおいて測定される設置方向とのなす角である傾斜角をそれぞれ算出するとともに、該各傾斜角が所定値を超えるか否かを判定する傾斜判定ステップと、前記傾斜判定ステップにおいて一部又は全部の前記傾斜角が前記所定値を超えると判定される場合に、所定の警告を発する設置誤り警告ステップと、を含むことを特徴としている。
【０００８】
本発明では、基地局装置において、基地局装置の基準となる設置方向である基準設置方向を少なくとも１つ記憶しており、基地局装置の設置方向を測定する。このとき、記憶される各基準設置方向と測定される設置方向とのなす角である傾斜角をそれぞれ算出し、各傾斜角が所定値を超えるか否かを判定する。そして、一部又は全部の傾斜角が所定値を超えると判定されると、所定の警告を発する。本発明によれば、基地局装置を予め記憶された正規の設置方向（基準設置方向）と異なる方向に取り付けると警告が発せられるため、取り付け方向に係る設置ミスを防ぐことができる。
【０００９】
また、本発明の一態様では、前記設置方向は、基地局装置を基準とする重力加速度の方向である。こうすれば、基地局装置から見た重力加速度の方向のずれに基づいて基地局装置の傾斜角を算出することができるようになる。
【発明を実施するための最良の形態】
【００１０】
以下、本発明の実施の形態を図面に基づいて説明する。図１は、基地局装置１０の機能ブロック図である。基地局装置１０は、制御部２０、無線通信部３０、回線インターフェース４０及び設置方向確認部５０を含んで構成されている。図２乃至４は、基地局装置１０の外観及び正規の設置方向を示す図である。基地局装置１０は、電柱や駅構内の天井或いはビルの屋上等に設置されることが多く、同図に示す通り、１又は複数の正規の設置方向を有する。また、雨や雪等の水分が装置内に侵入するのを防ぐために、筐体で密閉されている。
【００１１】
制御部２０は、運転管理部２２、無線制御部２４及び回線制御部２６を含み、ＣＰＵ及びメモリ等から構成される。運転管理部２２は、無線制御部２４、回線制御部２６及び設置方向確認部５０等と接続され、基地局装置１０全体の運転に係る制御を行う。無線制御部２４は、無線通信部３０と接続され、運転管理部２２の指示に従って無線通信部３０の制御を行う。回線制御部２６は、回線インターフェース４０と接続され、運転管理部２２の指示に従って回線インターフェース４０の制御を行う。
【００１２】
無線通信部３０は、アンテナ３２を備え、無線制御部２４と接続されるとともに制御部２０を介して回線インターフェース４０と接続されている。無線通信部３０は、無線制御部２４の指示に従って、アンテナ３２で受信される各通信装置からの信号を復調し、パケットを分離抽出等した後に、当該パケットを制御部２０を介して回線インターフェース４０に出力する。また、制御部２０を介して回線インターフェース４０から入力される複数のパケットを多重等し、変調した信号をアンテナ３２を介して各通信装置に対して送信する。
【００１３】
回線インターフェース４０は、回線制御部２６と接続されるとともに制御部２０を介して無線通信部３０と接続され、基地局装置１０と通信ネットワークを相互に連結している。回線インターフェース４０は、回線制御部２６の指示に従って、通信ネットワークから入力されるパケットを制御部２０を介して無線通信部３０に出力する。また、無線通信部３０から入力される複数のパケットを制御部２０を介して通信ネットワークに出力する。
【００１４】
設置方向確認部５０は、加速度センサ（設置方向測定部）５２、基準設置方向記憶部５４、傾斜判定部５６及び設置誤り警告部５８を含んで構成され、正規の設置方向を基準とする基地局装置１０の傾斜角を算出するとともに、算出した傾斜角が所定値を超える場合に所定の警告を行う。
【００１５】
加速度センサ５２は、基地局装置１０に固定されており、基地局装置１０の設置方向を測定する。加速度センサ５２は、取り付けられた物体に加わる加速度の大きさを測定するセンサであり、具体的には、重力加速度の大きさ及び方向（重力加速度ベクトル）を測定し、加速度センサ５２を基準とした座標系における重力加速度ベクトルのｘ，ｙ，ｚ方向成分を取得する。このとき、加速度センサ５２は、測定誤差を軽減するために、所定サンプリング周期で測定した重力加速度ベクトルの所定期間における平均値を、重力加速度ベクトルとして取得するようにしてもよい。本実施の形態では、加速度センサ５２により測定される重力加速度ベクトルの各成分を、基地局装置１０の設置方向として用いている。加速度センサ５２の測定値は傾斜判定部５６に出力され、後述するように、傾斜判定部５６は、当該測定値に基づいて基地局装置１０の傾斜角を算出する。
【００１６】
基準設置方向記憶部５４は、基地局装置１０の基準となる設置方向、すなわち、基地局装置１０の正規の設置方向である基準設置方向を少なくとも１つ記憶している。基準設置方向は、正規の方向に設置された状態における重力加速度ベクトルのｘ，ｙ，ｚ方向成分で表される。例えば、基地局装置１０の製造時又は出荷前等に、正規の設置方向に取り付けた状態で加速度センサ５２により重力加速度ベクトルを測定し、そのｘ，ｙ，ｚ方向成分を基準設置方向として基準設置方向記憶部５４に記憶させるようにしてもよい。
【００１７】
図２乃至４は、それぞれ基地局装置１０の外観及び正規の設置方向を示す図である。図２は、基地局装置１０のロゴプレートが上を向くように設置された状態を示す図であり、同図（ａ）、（ｂ）はそれぞれ基地局装置１０の上面図、正面図である。ここでは、基地局装置１０におけるｘ，ｙ，ｚ方向を、それぞれ同図（ｂ）の正面図における裏面方向、左方向、下方向と定義している（図３及び図４でも本定義に従う）。同図（ｂ）の正面図において重力加速度ベクトルは下向きであるため、この場合に基地局装置１０の設置方向を測定すると（ｘ，ｙ，ｚ）＝（０，０，１）となる。ここでは簡単のために、基準設置方向を単位ベクトルで表している。図３は、基地局装置１０のアンテナコネクタ／ＣＬＫコネクタが上を向くように設置された状態を示す図であり、同図（ａ）、（ｂ）、（ｃ）はそれぞれ基地局装置１０の上面図、正面図、右側面図である。同図（ｂ）の正面図において重力加速度ベクトルは下向きであるため、基地局装置１０の設置方向を測定すると（ｘ，ｙ，ｚ）＝（−１，０，０）となる。図４は、基地局装置１０のリッドカバーが下を向くように設置された状態を示す図あり、同図（ａ）、（ｂ）、（ｃ）はそれぞれ基地局装置１０の正面図、底面図、右側面図である。同図（ａ）の正面図において重力加速度ベクトルは下向きであるため、この場合に基地局装置１０の設置方向を測定すると（ｘ，ｙ，ｚ）＝（０，１，０）となる。
【００１８】
傾斜判定部５６は、基地局装置１０の設置方向が基準設置方向記憶部５４に記憶される一部又は全部の基準設置方向と一致するか否かを判定する。すなわち、傾斜判定部５６は、基準設置方向記憶部５４に記憶される各基準設置方向と加速度センサ５２により測定される設置方向とのなす角である傾斜角をそれぞれ算出する。ここで、傾斜角をθ、基準設置方向を（ｘ０，ｙ０，ｚ０）、加速度センサ５２により測定される設置方向を（ｘ，ｙ，ｚ）とすると、傾斜角θは以下の式から求められる。
【００１９】
【数１】
0005118816.tif 000002
【００２０】
また、傾斜判定部５６は、上記式により算出される各傾斜角が閾値を超えるか否かを判定する。閾値は、傾斜角の許容範囲を示す値であり、この閾値が小さければ小さいほどより正確な向きに基地局装置１０を取り付けることが要求される。
【００２１】
設置誤り警告部５８は、傾斜判定部５６により一部又は全部の傾斜角が閾値を超えると判定される場合に、すなわち正規の設置方向からのずれが大きいと判定される場合に、所定の警告を発する。例えば、基準設置方向記憶部５４に図２に示される基準設置方向を１つだけ記憶しておき、閾値を小さい値に設定しておけば、基地局装置１０が図３に示される正規の設置方向と異なる方向に取り付けられた場合に警告が発せられるため、取り付け方向に係る設置ミスを防ぐことができる。また、基準設置方向記憶部５４に図２乃至４に示される３つの基準設置方向を記憶しておき、傾斜判定部５６により当該基準設置方向毎に算出される３つの傾斜角すべてが閾値を超える場合にのみ、設置誤り警告部５８が警告を発するようにしてもよい。こうすれば、基地局装置１０が図２乃至４に示されるいずれの設置方向とも異なる向きに取り付けられた場合にのみ警告が発せられるようになる。
【００２２】
次に、基地局装置１０の設置方向を確認する処理を、図５のフローチャートに基づいて説明する。本処理は、基地局装置１０が正規の設置方向に取り付けられたか否かをチェックするためのものであり、通常、基地局装置１０の設置完了時に設置作業員等によるボタン操作等により起動される。
【００２３】
本処理が起動されると、加速度センサ５２は、所定期間、所定サンプリング周期で設置方向（重力加速度ベクトル）を測定する（Ｓ１００）。次に、傾斜判定部５６は、測定誤差を軽減するために、加速度センサ５２により測定される複数の設置方向の平均値を算出する（Ｓ１０２）。また、基準設置方向記憶部５４から重力加速度ベクトルで表される１又は複数の基準設置方向を読み出す（Ｓ１０４）。
【００２４】
傾斜判定部５６は、Ｓ１０４において読み出した各基準設置方向とＳ１０２で取得した設置方向とのなす角である傾斜角をそれぞれ算出し（Ｓ１０６）、各傾斜角が閾値を超えるか否かを判定する（Ｓ１０８）。Ｓ１０８において一部又は全部の傾斜角が閾値を超えると判定される場合、すなわち基地局装置１０が正規の設置方向に取り付けられていないと判定される場合、設置誤り警告部５８は所定の警告を発し（Ｓ１１０）、本処理を終了する。一方、Ｓ１０８において一部又は全部の傾斜角が閾値を超えないと判定される場合、すなわち基地局装置１０が正規の設置方向に取り付けられていると判定される場合、警告を発することなく本処理を終了する。
【００２５】
以上に述べた基地局装置及び基地局装置の設置誤り検出方法によれば、基地局装置の取り付け方向に係る設置ミスを防ぐことができる。
【００２６】
なお、本発明は、上記実施の形態に限定されるものではない。例えば、上記実施の形態では、重力加速度センサを用いて基地局装置の設置方向を測定する構成を示したが、加速度センサの代わりに、方向を示す情報を取得できるあらゆる種類のセンサ（例えば地磁気センサ）等を用いることも可能である。
【図面の簡単な説明】
【００２７】
【図１】本発明の実施の形態に係る基地局装置の機能ブロック図である。
【図２】基地局装置の外観及び正規の設置方向を示す図である。
【図３】基地局装置の外観及び正規の設置方向を示す図である。
【図４】基地局装置の外観及び正規の設置方向を示す図である。
【図５】設置方向を確認する処理を示すフローチャートである。
【符号の説明】
【００２８】
１０  基地局装置、２０  制御部、２２  運転管理部、２４  無線制御部、２６  回線制御部、３０  無線通信部、３２  アンテナ、４０  回線インターフェース、５０  設置方向確認部、５２  加速度センサ（設置方向測定部）、５４  基準設置方向記憶部、５６  傾斜判定部、５８  設置誤り警告部。
【図１】
0005118816.tif 000003
【図２】
0005118816.tif 000004
【図３】
0005118816.tif 000005
【図４】
0005118816.tif 000006
【図５】
0005118816.tif 000007